(57)【要約】【課題】  磁石ケースを保護カバーに当接することにより、板バネが両側に開き、係止解除され、上本体とした本体が上下に方向に開くことによりフックより取り外すことができるもので、シンプルな機構でありながら、確実に盗難を防止できるもので、ブリスターパッケージ商品の出し入れも簡単・容易にできるブリスターパッケージ商品用盗難防止具を提供する。【解決手段】  商品陳列用のフックに吊り下げられるブリスターパッケージ商品の盗難を防止する盗難防止具であって、フックに対して上下に挟持する上ホルダーと下ホルダーとからなるホルダー部を設けると共に、上ホルダーを取り付けてなる板バネ係止部を形設した上本体と、下ホルダーを取り付け、板バネを内設してなる下本体とからなることを特徴とするブリスターパッケージ商品用盗難防止具。【選択図】図１
2010194286.tif 000002
【特許請求の範囲】
【請求項１】
商品陳列用のフックに吊り下げられるブリスターパッケージ商品の盗難を防止する盗難防止具であって、フックに対して上下に挟持する上ホルダーと下ホルダーとからなるホルダー部を設けると共に、上ホルダーを取り付けてなる板バネ係止部を形設した上本体と、下ホルダーを取り付け、板バネを内設してなる下本体とからなることを特徴とするブリスターパッケージ商品用盗難防止具。
【請求項２】
上本体及び下本体に、上下方向に一定量開口した時点で止める引掛部を形設してなることを特徴とする請求項１記載のブリスターパッケージ商品用盗難防止具。
【請求項３】
板バネは、平板をコの字形に形成し、立片に板バネ係止部に係止する係止孔を形設してなることを特徴とする請求項１又は２記載のブリスターパッケージ商品用盗難防止具。
【請求項４】
上本体に、板バネの先端部を保護する保護カバーを設けたことを特徴とする請求項１、２又は３記載のブリスターパッケージ商品用盗難防止具。
【請求項５】
ホルダー部の内径をφ３ｍｍからφ８ｍｍとすることを特徴とする請求項１、２、３又は４記載のブリスターパッケージ商品用盗難防止具。
【請求項６】
板バネの先端部を両側に開き、係止孔を板バネ係止部から外すべく、両側に磁石を内設してなる磁石ケースを設けてなることを特徴とする請求項１、２、３、４又は５記載のブリスターパッケージ商品用盗難防止具。
【発明の詳細な説明】
【技術分野】
【０００１】  本発明は、商品陳列用のフックに吊り下げられるブリスターパッケージ商品の盗難を防止するブリスターパッケージ商品用盗難防止具に関するものである。
【背景技術】
【０００２】  従来の技術としては、商品陳列用のフックに取付けて使用する盗難警報器であって、警報器本体がフックから不正に外されたときに警報音を発する警報手段を有すると共に、当該警報音に同期して点滅するＬＥＤを有することを特徴とする盗難警報器がある。（特許文献１参照）【０００３】  また、別の従来技術として、吊り下げる物の掛け穴が通るように、リングに切り欠きを入れ、止め冶具をつけてホルダーにする。必要に応じて切り欠き部分に扉を付けて、吊り下げる物の掛け穴が、切り欠き部分を行ききするのをスムーズにする。こうすると必要な調理道具や商品だけを、切り欠き部分に移動させて取外すことができる。さらにリングに鍵を付ければ、必要なときだけ鍵を開けて抜き取ることができるので、盗難防止に有効であるものがある。（特許文献２参照）
【先行技術文献】
【特許文献】
【０００４】
【特許文献１】  特開２０００−２９３７６４号公報
【特許文献２】  特開平９−１７３２２６号公報
【発明の概要】
【発明が解決しようとする課題】
【０００５】  上記前者においては、警報音に同期して点滅するＬＥＤを有してなるもので、バッテリー（電池）を必要とするタイプであり、コスト的にも管理的にも問題がある。【０００６】  上記後者においては、リング等に鍵を付けたものであり、通常のフックに着脱自在に取付けて使用するものではないため、使用範囲が限定され、別途設備費用が掛かるものである。【０００７】  本発明は、このような従来の構成が有していた問題を解決しようとするもので、磁石ケースを保護カバーに当接することにより、板バネが両側に開き、係止解除され、上本体と下本体が上下方向に開くことによりフックより取り外すことができるもので、シンプルな機構でありながら、確実に盗難を防止できると共に、ブリスターパッケージ商品の出し入れも簡単・容易にできるブリスターパッケージ商品用盗難防止具を提供することを目的とする。
【課題を解決するための手段】
【０００８】  本発明は、上記の目的を達成するため、商品陳列用のフックに吊り下げられるブリスターパッケージ商品の盗難を防止する盗難防止具であって、フックに対して上下に挟持する上ホルダーと下ホルダーとからなるホルダー部（内径φ３ｍｍからφ８ｍｍ）を設けると共に、上ホルダーを取り付けてなる板バネ係止部を形設した上本体と、下ホルダーを取り付け、板バネを内設してなる下本体とからなる。
上本体及び下本体に、上下方向に一定量開口した時点で止める引掛部を形設してなる。板バネは、平板をコの字形に形成し、立片に板バネ係止部に係止する係止孔を形設してなる。
上本体に、板バネの先端部を保護する保護カバーを設けてなる。
板バネの先端部を両側に開き、係止孔を板バネ係止部から外すべく、両側に磁石を内設してなる磁石ケースを設けてなることを特徴とする。
【発明の効果】
【０００９】１）、磁石ケースを保護カバーに当接することにより、板バネが両側に開き、係止解除され、上本体と下本体が上下方向に開くことにより、フックより取り外すことができるもので、シンプルな機構でありながら、ブリスターパッケージ商品の出し入れが簡単にできる。
２）、引掛部により、上本体と下本体を一定量にて開口することができ、分離されることがないため紛失することがない。
３）、板バネの係止孔を、上本体の板バネ係止部に係止することにより確実に上本体と下本体を開口不可に形成できる。
４）、保護カバーにより、板バネの先端部を確実に保護できる。
５）、ホルダー部の内径をφ３ｍｍからφ８ｍｍの範囲に設定することにより様々なフックに対応可能である。
６）、特定の構造をした磁石ケースにより、板バネを解除するもので、盗難者に容易に解除方法が分からず、セキュリティ効果が高い。
【図面の簡単な説明】
【００１０】
【図１】  本発明の一実施例を示すブリスターパッケージ商品用盗難防止具の正面図。
【図２】  本発明の一実施例を示すブリスターパッケージ商品用盗難防止具の側面図。
【図３】  本発明の一実施例を示すブリスターパッケージ商品用盗難防止具の縦断面図。
【図４】  本発明の一実施例を示すブリスターパッケージ商品用盗難防止具の分解斜視図。
【図５】  本発明の一実施例を示すブリスターパッケージ商品用盗難防止具の磁石ケースの縦断正面図。
【図６】  本発明の一実施例を示すブリスターパッケージ商品用盗難防止具の使用状態斜視図。
【図７】  本発明の一実施例を示すブリスターパッケージ商品用盗難防止具の取り外し第１工程断面図。
【図８】  本発明の一実施例を示すブリスターパッケージ商品用盗難防止具の取り外し第２工程断面図。
【図９】  本発明の一実施例を示すブリスターパッケージ商品用盗難防止具の取り外し第３工程断面図。
【発明を実施するための形態】
【実施例】
【００１１】  １は、商品陳列用のフックに吊り下げられるブリスターパッケージ商品の盗難を防止するブリスターパッケージ商品用盗難防止具である。
２は、フックに対して上下に挟持する半円弧状の上ホルダー２ａと同じく下ホルダー２ｂより構成され、突片２ａ１・２ｂ１を突設してなるホルダー部で、内径をφ３ｍｍからφ８ｍｍに設定するのが望ましい。
３は、上ホルダー２ａを突片２ａ１にて取り付けてなる上本体で、両側下端に引掛部３ａを形設すると共に、両側上端に半円弧状の板バネ係止部３ｂを形設してある。
４は、下ホルダー２ｂを突片２ｂ１にて取り付けてなる下本体で、両側上端に上記引掛部３ａに対応する引掛部４ａ・４ａを形設してある。
５は、平板をコの字形に形成し、立片５ａ・５ａに板バネ係止部３ｂに係止する係止孔５ｂ・５ｂを形設すると共に、底面中央に取付孔５ｃを設けてなる板バネで、上記下本体４内に内設してある。
６は、上記板バネ５を下本体４内に内設した後、ピン６ａにて板バネ５を支持固定する裏蓋である。
７は、上記上本体３の上端に取り付け、上記板バネ５の先端部を保護する保護カバーである。
８は、中央を段差状に形成したケース本体８ａの両側に、磁石８ｂ・８ｂを内設してなる磁石ケースである。（図１〜図５参照）【００１２】  つぎに、上記ブリスターパッケージ商品用盗難防止具１の使用例について説明する。
ブリスターパッケージ商品用盗難防止具１は、商品陳列用のフックＦに吊り下げられるブリスターパッケージ商品ＰＳの盗難を防止するもので、通常はフックＦの下方に取り付けてなる。（図６参照）
この状態で、ブリスターパッケージ商品ＰＳが売れた場合や、商品の入れ替えを行う場合において、まず、ブリスターパッケージ商品用盗難防止具１の保護カバー７の上方より磁石ケース８を挿入する。（図７参照）
磁石８ｂ・８ｂが保護カバー７の両側に位置した時点で、磁石８ｂ・８ｂにて板バネ５の先端部（立片５ａ）を外側へ開口することにより係止孔５ｂが板バネ係止部３ｂより外れる。（図８参照）
その後、下本体４を下方に引っ張ることにより上ホルダー２ａ及び下ホルダー２ｂが上下に開口し、引掛部３ａ・３ａと引掛部４ａ・４ａが係止し、ストッパーとなる。（図９参照）
よって、フックＦより前方にブリスターパッケージ商品用盗難防止具１を取り出すことができ、再度フックＦにブリスターパッケージ商品用盗難防止具１を取り付ける場合は、上ホルダー２ａと下ホルダーの空間をフックＦに挿入し、下本体４を上方に押し上げることにより、板バネ５の係止孔５ｂが上本体３の板バネ係止部３ｂに係止し、ロックできるものである。【００１３】  上記実施例において、板バネ以外は合成樹脂とするのが望ましい。
また、各部位の形状は、同様な機能であれば特に限定しない。
さらに、磁石の磁力においては、できるだけ強力なタイプが望ましい。
【符号の説明】
【００１４】  １−−−ブリスターパッケージ商品用盗難防止具
２−−−ホルダー部
２ａ−−上ホルダー
２ａ１−突片
２ｂ−−下ホルダー
２ｂ１−突片
３−−−上本体
３ａ−−引掛部
３ｂ−−板バネ係止部
４−−−下本体
４ａ−−引掛部
５−−−板バネ
５ａ−−立片
５ｂ−−係止孔
６−−−裏蓋
６ａ−−ピン
７−−−保護カバー
８−−−磁石ケース
８ａ−−ケース本体
８ｂ−−磁石
ＰＳ−−ブリスターパッケージ商品
Ｆ−−−フック
【図１】
2010194286.tif 000003
【図２】
2010194286.tif 000004
【図３】
2010194286.tif 000005
【図４】
2010194286.tif 000006
【図５】
2010194286.tif 000007
【図６】
2010194286.tif 000008
【図７】
2010194286.tif 000009
【図８】
2010194286.tif 000010
【図９】
2010194286.tif 000011